(57)【要約】【課題】蛍光灯からの光線を電気エネルギーに変換できて蛍光灯電力として使用可能であり、電気代を減少でき、環境保全に悪い影響を与えないこと。【解決手段】反射マスクには、太陽エネルギー集光ユニットが設けられ、太陽エネルギー集光ユニットが光/電エネルギー変換ユニットを介して蓄電ユニットと電気的に接続し、蓄電ユニットは、光/電エネルギー変換ユニットによる電気エネルギーを蓄蔵し、その出力端が制御ユニットと電気的に接続し、制御ユニットが都市電気と灯管の間に設けられ、制御ユニットの制御により、蓄電ユニットに電気エネルギーが蓄蔵されている場合には、灯管が前記蓄電ユニットからの電気エネルギーを使用し、蓄電ユニットに電気エネルギーが蓄蔵されていない場合には、灯管が都市電気からの電気エネルギーを使用する。【選択図】図３
0003154484.tif 000002
【実用新案登録請求の範囲】
【請求項１】
灯台と、少なくとも一つの灯管と、太陽エネルギー集光ユニットと、光/電エネルギー変換ユニットと、蓄電ユニットと、制御ユニットと、を含み、
前記反射マスクには太陽エネルギー集光ユニットが設けられ、
前記太陽エネルギー集光ユニットが光/電エネルギー変換ユニットを介して蓄電ユニットと電気的に接続し、
前記蓄電ユニットは、前記光/電エネルギー変換ユニットによる電気エネルギーを蓄蔵し、その出力端が制御ユニットと電気的に接続し、
前記制御ユニットが都市電気と灯管の間に設けられ、
前記制御ユニットの制御により、前記蓄電ユニットに電気エネルギーが蓄蔵されている場合には前記灯管が前記蓄電ユニットからの電気エネルギーを使用し、前記蓄電ユニットに電気エネルギーが蓄蔵されていない場合には、前記灯管が都市電気からの電気エネルギーを使用することを特徴とするエネルギー節約型蛍光灯。
【考案の詳細な説明】
【技術分野】
【０００１】
本考案は、エネルギー節約型蛍光灯に関し、特に、蛍光灯からの光線が電気エネルギーに変換されて蛍光灯の電力として使用可能であるエネルギー節約型蛍光灯に関するものである。
【背景技術】
【０００２】
有限な空間において、住まい、又は事務所用の建築物の空間が狭くされ、且つ採光が無視されるので、昼間に電灯を点灯することが珍しくない。また、事務所用の建築物は、昼間に点灯する電灯の数量が多いので、電気代が増加し、そして環境保全に悪い影響を与える問題がある。
【考案の概要】
【考案が解決しようとする課題】
【０００３】
本考案の主な目的は、蛍光灯からの光線を電気エネルギーに変換できて蛍光灯電力として使用可能であり、電気代を減少することができ、環境保全に悪い影響を与えないエネルギー節約型蛍光灯を提供することにある。
【課題を解決するための手段】
【０００４】
本考案の請求項１に記載のエネルギー節約型蛍光灯によると、反射マスクには、太陽エネルギー集光ユニットが設けられ、太陽エネルギー集光ユニットが光/電エネルギー変換ユニットを介して蓄電ユニットと電気的に接続し、蓄電ユニットは、光/電エネルギー変換ユニットによる電気エネルギーを蓄蔵し、その出力端が制御ユニットと電気的に接続し、制御ユニットが市電（都市電気）と灯管の間に設けられ、制御ユニットの制御により、蓄電ユニットに電気エネルギーが蓄蔵されている場合には、灯管が前記蓄電ユニットからの電気エネルギーを使用し、蓄電ユニットに電気エネルギーが蓄蔵されていない場合には、灯管が市電（都市電気）からの電気エネルギーを使用することを特徴とするエネルギー節約型蛍光灯である。
【考案の効果】
【０００５】
本考案のエネルギー節約型蛍光灯によれば、蛍光灯からの光線を電気エネルギーに変換できて蛍光灯の電力として使用可能であるから、電気代を減少することができるとともに、環境保全に悪い影響を与えないという効果を有する。
【図面の簡単な説明】
【０００６】
【図１】本考案のエネルギー節約型蛍光灯の構造を示す分解斜視図である。
【図２】本考案のエネルギー節約型蛍光灯の構造を示す側面図である。
【図３】本考案のエネルギー節約型蛍光灯のブロック図である。
【考案を実施するための形態】
【０００７】
以下、本考案の実施の形態を図面に基づいて説明する。
まず、図１から図３を参照する。本考案のエネルギー節約型蛍光灯は、灯台１と、少なくとも一つの灯管２と、太陽エネルギー集光ユニット３と、光/電エネルギー変換ユニット４と、蓄電ユニット５と、制御ユニット６と、を含む。
【０００８】
灯台１には、反射マスク１１が設けられる。反射マスク１１の反射面側には、灯管２が設けられ、灯管２からの光線が反射マスク１１に反射されて集光して一定区域に射出する。また、反射マスク１１の反射面には、太陽エネルギー集光ユニット３が設けられる。太陽エネルギー集光ユニット３が光/電エネルギー変換ユニット４を介して蓄電ユニット５と電気的に接続し、蓄電ユニット５の出力端が制御ユニット６を介して灯管２の回線と電気的に接続し、制御ユニット６が市電（都市電気）と電気的に接続する。
【０００９】
このように、平常時には、蛍光灯の灯管２が市電（都市電気）からの電力を使用する。また、灯管２が点灯されているときに、太陽エネルギー集光ユニット３が灯管２からの光線の光エネルギーを収集して、光/電エネルギー変換ユニット４により光エネルギーを電気エネルギーに変換して、蓄電ユニット５に蓄電する。制御ユニット６により蓄電ユニット５に蓄蔵される電力が灯管２を駆動できる状態になることを検知した場合には、制御ユニット６が市電（都市電気）を遮断して蓄電ユニット５からの電力を灯管２に供給する。また、蓄電ユニット５からの電力が切れたと、制御ユニット６が蓄電ユニット５からの電力を遮断して市電（都市電気）を灯管２に供給する。そうすると、市電（都市電気）の利用を減少することができるので、電気代を減少することができ、環境保全に悪い影響を与えない。
【産業上の利用可能性】
【００１０】
本考案は、例えば蛍光灯などの電力を利用する光源に適用することができる。
【符号の説明】
【００１１】
１：灯台、２：灯管、３：太陽エネルギー集光ユニット、４：光/電エネルギー変換ユニット、５：蓄電ユニット、６：制御ユニット、７：市電（都市電気）、１１：反射マスク。
【図１】
0003154484.tif 000003
【図２】
0003154484.tif 000004
【図３】
0003154484.tif 000005
【手続補正書】
【提出日】平成21年8月7日(2009.8.7)
【手続補正１】
【補正対象書類名】実用新案登録請求の範囲
【補正対象項目名】全文
【補正方法】変更
【補正の内容】
【実用新案登録請求の範囲】
【請求項１】
灯台と、少なくとも一つの灯管と、太陽エネルギー集光ユニットと、光/電エネルギー変換ユニットと、蓄電ユニットと、制御ユニットと、を含み、
灯台に設けられた反射マスクには太陽エネルギー集光ユニットが設けられ、
前記太陽エネルギー集光ユニットが光/電エネルギー変換ユニットを介して蓄電ユニットと電気的に接続し、
前記蓄電ユニットは、前記光/電エネルギー変換ユニットによる電エネルギーを蓄蔵し、その出力端が制御ユニットと電気的に接続し、
前記制御ユニットが都市電気と灯管の間に設けられ、
前記制御ユニットの制御により、前記蓄電ユニットに電気エネルギーが蓄蔵されている場合には前記灯管が前記蓄電ユニットからの電エネルギーを使用し、前記蓄電ユニットに電エネルギーが蓄蔵されていない場合には、前記灯管が都市電気からの電エネルギーを使用することを特徴とするエネルギー節約型蛍光灯。